(57)【要約】【課題】臨場感のあるＡＶシステムを構築する。【解決手段】光ディスク４１から得られた再生ＡＶデータがＲＡＭ５０に蓄積される。ＲＡＭ５０から再生スタートのタイミングが制御されたＡＶ信号が出力される。視聴者の呼吸がセンサ６１によって計測され、計測された信号がローパスフィルタ６２を介してピーク検出回路６３に供給され、ピーク値のタイミングが検出される。検出されたピーク値に基づいて、変化点検出回路６４は、視聴者の呼吸の吸期から呼期への変化点を検出し、再生スタート信号を生成する。再生スタート信号がＲＡＭ５０に供給され、ＲＡＭ５０からのＡＶ信号の読み出しのタイミングが再生スタート信号と同期したものに制御される。ＡＶ情報のスタートのタイミングを視聴者の生体情報に合わせて制御することによって、実際の演奏や、演技の際の息使いや興奮度などにマッチした状況を再現できる。【選択図】  図５
2004228778.tif 000002
【特許請求の範囲】
【請求項１】
受信されたオーディオ情報および映像情報の少なくとも一方のデータを再生するに際し、視聴者の生体情報を観測し、上記データの再生タイミングを上記観測された生体情報により指示するデータ再生指示方法。
【請求項２】
請求項１において、
上記生体情報は、体動、呼吸、心拍、脈の少なくとも一つであるデータ再生指示方法。
【請求項３】
請求項１において、
上記指示は、音声、ブザー、発光素子および表示のいずれかであるデータ再生指示方法。
【請求項４】
受信されたオーディオ情報および映像情報の少なくとも一方のデータを再生するに際し、視聴者の生体情報を観測し、上記データの再生タイミングを上記観測された生体情報により制御し、再生タイミングが制御されたデータを再生するデータ再生方法。
【請求項５】
請求項４において、
上記生体情報は、体動、呼吸、心拍、脈の少なくとも一つであるデータ再生方法。
【請求項６】
オーディオ情報および映像情報の少なくとも一方のデータを送信するに際し、視聴者の生体情報を観測し、上記データの送信タイミングを上記観測された生体情報により指示する情報送信指示方法。
【請求項７】
オーディオ情報および映像情報の少なくとも一方のデータを送信するに際し、視聴者の生体情報を観測し、上記データの送信タイミングを上記観測された生体情報により制御し、送信タイミングが制御されたデータを送信する情報送信方法。
【請求項８】
オーディオ情報および映像情報の少なくとも一方のデータを記録するに際し、視聴者の生体情報を観測し、上記データの記録タイミングを上記観測された生体情報により指示するデータ記録指示方法。
【請求項９】
オーディオ情報および映像情報の少なくとも一方のデータを記録するに際し、視聴者の生体情報を観測し、上記データの記録タイミングを上記観測された生体情報により制御し、記録タイミングが制御されたデータを記録するデータ記録方法。
【請求項１０】
受信されたオーディオ情報および映像情報の少なくとも一方のデータを再生するに際し、視聴者の生体情報を観測し、上記データの再生タイミングを上記観測された生体情報により指示するデータ再生指示装置。
【請求項１１】
受信されたオーディオ情報および映像情報の少なくとも一方のデータを再生するに際し、視聴者の生体情報を観測し、上記データの再生タイミングを上記観測された生体情報により制御し、再生タイミングが制御されたデータを再生するデータ再生装置。
【請求項１２】
オーディオ情報および映像情報の少なくとも一方のデータを送信するに際し、視聴者の生体情報を観測し、上記データの送信タイミングを上記観測された生体情報により指示するデータ送信指示装置。
【請求項１３】
オーディオ情報および映像情報の少なくとも一方のデータを送信するに際し、視聴者の生体情報を観測し、上記データの送信タイミングを上記観測された生体情報により制御し、送信タイミングが制御されたデータを送信するデータ送信装置。
【請求項１４】
オーディオ情報および映像情報の少なくとも一方のデータを記録するに際し、視聴者の生体情報を観測し、上記データの記録タイミングを上記観測された生体情報により指示するデータ記録指示装置。
【請求項１５】
オーディオ情報および映像情報の少なくとも一方のデータを記録するに際し、視聴者の生体情報を観測し、上記データの記録タイミングを上記観測された生体情報により制御し、記録タイミングが制御されたデータを記録するデータ記録装置。
【発明の詳細な説明】
【０００１】
【発明の属する技術分野】
この発明は、オーディオ情報および映像情報の少なくとも一方のデータを記録、送信、再生するのに適用されるデータの記録、送信または再生に関する方法並びに装置に関する。
【０００２】
【従来の技術】
コンサート会場で例えばオーケストラの演奏を聞く時に、聴取者は、指揮者のタクトを注視し、指揮者のタクトに合わせて演奏される曲のスタートタイミングを予測することが経験上知られている。それによって聴取者は、自分の呼吸を整え、演奏される曲を違和感なく聴くことができる。
【０００３】
従来、人間の生体のリズムである１／ｆのゆらぎを元の音楽に対して付加することで、聴き心地の良い音楽に変更する演奏制御装置が提案されている。例えば人間の生体の状況および体調等が刻々変化していることを考慮して、聴取者の日々の生体状態に合ったゆらぎ制御信号を生成し、ゆらぎ制御信号に基づいてオーディオプログラムの演奏テンポを編集する技術が下記の特許文献１に説明されている。
【０００４】
【特許文献１】
特開平１０−７９１３０号公報
【０００５】
【発明が解決しようとする課題】
曲のスタート点のタイミングと、聴取者の生体情報例えば呼吸のタイミングとがずれると、指揮者等の演奏者の呼吸と聴取者の呼吸とのずれが生じ、演奏者の発する情報が聴取者に十分に伝わらず、聴取者が臨場感を十分に感じられなかったり、時には不快感を感じるおそれがあった。上述した特許文献１は、聴取者の健康に関する生体情報を利用して音楽の演奏テンポを制御するもので、再生される曲のタイミングと、聴取者の呼吸を合わせて、臨場感をより感じ易くする点については、何ら開示されていない。
【０００６】
したがって、この発明の目的は、曲のタイミングと視聴者の生体情報例えば呼吸との同期をとることによって、臨場感に富んだ再生を可能とするデータの記録、送信または再生に関する方法並びに装置を提供することにある。
【０００７】
【課題を解決するための手段】
上述した課題を解決するために、請求項１および１０の発明は、受信されたオーディオ情報および映像情報の少なくとも一方のデータを再生するに際し、視聴者の生体情報を観測し、データの再生タイミングを観測された生体情報により指示するデータ再生指示方法および装置である。
【０００８】
請求項４および１１の発明は、受信されたオーディオ情報および映像情報の少なくとも一方のデータを再生するに際し、視聴者の生体情報を観測し、データの再生タイミングを観測された生体情報により制御し、再生タイミングが制御されたデータを再生するデータ再生方法および装置である。
【０００９】
請求項６および１２の発明は、オーディオ情報および映像情報の少なくとも一方のデータを送信するに際し、視聴者の生体情報を観測し、データの送信タイミングを観測された生体情報により指示する情報送信指示方法および装置である。
【００１０】
請求項７および１３の発明は、オーディオ情報および映像情報の少なくとも一方のデータを送信するに際し、視聴者の生体情報を観測し、データの送信タイミングを観測された生体情報により制御し、送信タイミングが制御されたデータを送信する情報送信方法および装置である。
【００１１】
請求項８および１４の発明は、オーディオ情報および映像情報の少なくとも一方のデータを記録するに際し、視聴者の生体情報を観測し、データの記録タイミングを観測された生体情報により指示するデータ記録指示方法および装置である。
【００１２】
請求項９および１５の発明は、オーディオ情報および映像情報の少なくとも一方のデータを記録するに際し、視聴者の生体情報を観測し、データの記録タイミングを観測された生体情報により制御し、記録タイミングが制御されたデータを記録するデータ記録方法および装置である。
【００１３】
この発明では、視聴者の生体情報に基づいてオーディオ情報および映像情報の少なくとも一方のデータの再生、送信、または記録のタイミングを制御している。それによって、実際の演奏や、演技の際の息づかいまたは興奮度にマッチした状況を視聴者が再現することが容易となり、オーディオ情報および映像情報の少なくとも一方のデータの再生を臨場感に富んだものとできる。
【００１４】
【発明の実施の形態】
以下、この発明の一実施形態について説明する。図１は、オーディオ情報および映像情報の少なくとも一方のデータ（ＡＶデータと適宜称する）例えば音楽信号のスタートタイミングと視聴者の生体情報例えば呼吸信号の周期とを同期させた状態を模式的に示している。図１の例では、視聴者が息を吸い終わってから息をはくのをスタートするタイミングと、音楽信号のスタートタイミングとが同期している。このような関係を実現することによって、音楽の演奏者と視聴者の間で呼吸がほぼ同期したものとなる。このことは、演奏会場に居て演奏者の動作に自分の呼吸を合わせるのと同様に、視聴者が自分の呼吸を再生されるＡＶ情報の演奏者または演技者の呼吸と合わせることを可能とする。
【００１５】
視聴者の生体情報は、体動、呼吸、心拍、脈の少なくとも一つである。図２は、視聴者の例えば呼吸を検出する構成例を示す。呼吸ガスの流速、流量の計測には、気流の通路に気流速計、気流量計を置く方法が知られている。図２の例では、より安価で簡単な計測を可能とするために、胸郭運動を電気的に検出する方法が使用されている。
【００１６】
図２において、参照符号１が呼吸運動に伴う胸部の動きを検出するセンサを示す。例えば呼吸に伴う生体電気インピーダンスの変化から呼吸計測がなされる。この場合、胸部に４個の電極が被着され、外側の一対の電極から電流を通電し、内側の一対の電極から電位を検出するようになされる。他の方法として、呼吸運動に伴う胸部の容積変化を検出するために、胸部にひずみゲージ等のセンサを取付ける方法等も使用できる。
【００１７】
センサ１からは、呼吸運動に応じて振幅が変化する検出信号が発生し、この検出信号がローパスフィルタ２に供給され、ノイズ等の不要な信号成分が除去される。センサ１からの信号は、ケーブルが視聴者の動きの邪魔とならないように、ワイヤレスでローパスフィルタ１２に伝送されることが好ましい。ローパスフィルタ２の出力信号がピーク検出回路３およびレベル検出回路４に供給される。ピーク検出回路３では、正側のピーク値と負側がそれぞれ検出される。図１Ｂに示したように、検出信号は、略正弦波であり、その正のピーク値から負のピーク値に至る期間が息を吸う期間（吸期）であり、その負のピーク値から正のピーク値に至る期間が息をはく期間（呼期）である。
【００１８】
ピーク検出回路３からの検出信号がレベル検出回路４に供給される。レベル検出回路４は、ピーク値のタイミングの検出信号のレベルが検出され、検出されたレベルを示す信号が出力端子７ａに取り出される。出力端子７ａから得られる信号は、呼吸の深さを示す信号である。ピーク検出回路３の検出出力が出力端子７ｂに取り出される。例えば正のピーク値のタイミングと、負のピーク値のタイミングとでそれぞれ発生するパルス信号が検出出力として出力端子７ｂに取り出される。出力端子７ｂに得られる検出出力がタイミング信号として使用される。
【００１９】
さらに、ピーク検出回路３の出力信号がタイマー５にスタート信号として供給されると共に、カウンタ６に入力され、カウンタ６の出力がタイマー５にストップ信号として供給される。カウンタ６は、ｎ個のピーク信号をカウントすると、タイマー５に対してストップ信号を出力する。したがって、タイマー５からは、ｎ個のピーク値毎に検出信号が発生する。タイマー５が出力する検出信号が出力端子７ｃに呼吸間隔出力として取り出される。上述したように、出力端子７ａ、７ｂおよび７ｃから呼吸深さ信号、呼吸タイミング信号および呼吸間隔信号がそれぞれ出力される。
【００２０】
図３は、生体情報として心拍を計測する構成例を示す。例えば首付近に通電電極を被着し、胸部に検出電極を被着し、高周波定電流を通電する。参照符号１１は、検出電極を示し、検出電極１１から検出電流が必要に応じて電圧またはインピーダンス変化の信号に変換され、ローパスフィルタ１２に対して供給される。検出電極１１からの信号は、ワイヤレスでローパスフィルタ１２に伝送されることが好ましい。ローパスフィルタ１２によってノイズ等の不要な成分が除去される。なお、心臓付近に取り付けた圧力センサを使用して胸郭の動きを検出するようにしても良い。
【００２１】
ローパスフィルタ１２の出力信号が微分増幅器１３に供給される。微分増幅器１３によって検出信号を１次微分した信号が得られる。微分信号が最大値検出回路１４およびレベル検出回路１５に供給される。最大値検出回路１４は、最大値のタイミングで発生するパルス信号を発生し、パルス信号がレベル検出回路１５に供給される。レベル検出回路１５は、パルス信号のタイミングの微分信号のレベルを検出して出力端子１８ａに出力する。出力端子１８ａに得られる出力信号が心拍の強さを示す検出信号である。
【００２２】
タイマー１６のスタート信号として最大値検出回路１４の出力が供給される。最大値検出回路１４の出力がカウンタ１７によってカウントされ、ｎ個の最大値が検出された時にカウンタ１７が出力する信号がタイマー１６に対してストップ信号として供給される。タイマー１６の出力信号が出力端子１８ｂに取り出される。出力端子１８ｂに取り出される検出信号は、心拍周期を示す信号である。
【００２３】
他の生体情報例えば脈は、超音波を使用して測定することができる。また、体動を生体情報として使用することができる。測定したい体の１または複数の部位に発光素子（例えば所定の周期で点滅する発光ダイオード）を取り付け、この発光素子を撮影し、２次元の撮影平面上の発光素子の位置を検出することで、体動を計測でき、体動の最大値のタイミングが計測される。この体動の最大値のタイミングと再生のスタートのタイミングとが一致するように、タイミングが制御される。
【００２４】
図４は、この発明による再生指示装置の一実施形態を示す。記録メディアから再生され、またはネットワークを介して受信された入力信号が入力端子２１に供給される。入力ＡＶ信号が復調回路２２にて復調され、エラー訂正回路２３にてエラー訂正の処理を受ける。入力信号が例えばＣＤ（Ｃｏｍｐａｃｔ  Ｄｉｓｃ）  の再生信号の場合では、復調回路２２がＥＦＭ変調方式（Ｅｉｇｈｔ  ｔｏ  Ｆｏｕｒｔｅｅｎ  Ｍｏｄｕｌａｔｉｏｎ：ＥＦＭ）の復調を行うもので、エラー訂正回路２３がＣＩＲＣ（Ｃｒｏｓｓ  Ｉｎｔｅｒｌｅａｖｅｄ  Ｒｅｅｄ−Ｓｏｌｏｍｏｎ  Ｃｏｄｅ）のデコーダである。
【００２５】
エラー訂正回路２３から得られるＡＶ信号がＲＡＭ２４に書き込まれる。ＲＡＭ２４の読み出し出力がスイッチ２５を介して出力端子２６に取り出される。スイッチ２５は、再生スタート信号によって指示されるＲＡＭ２４の読み出しスタート時にオンとされるものである。実際には、ＲＡＭ２４の制御回路に対して再生スタート信号が入力される。スイッチ２５は、模式的な構成である。ＲＡＭ２４は、一つの曲の全体を記憶する。容量が大きなストレージの場合には、複数の曲を蓄積しても良い。または、一つの曲に満たない長さのずれ補正用の容量を持つＲＡＭを使用しても良い。
【００２６】
視聴者の生体信号例えば呼吸信号が入力端子３１から供給され、データ収集部３２に供給される。データ収集部３２は、生体信号のデータを収集し、次段のデータ分析部３３において所定区間の平均値や、最大値、統計データなどの各種処理データを得ることを可能とするものである。例えば一人の視聴者のある程度の長さの時間の生体信号が収集され、分析される。データ分析部３３は、例えば図２を参照して説明したような構成を有している。
【００２７】
データ分析部３３の分析結果（呼吸深さ出力、呼吸タイミング出力、呼吸間隔出力等）のデータがスタート判断部３４に入力される。スタート判断部３４は、再生をスタートするタイミングを決定し、スタート指示部３５を制御する信号を出力する。
【００２８】
スタート指示部３５は、スタート指示信号をディスプレイおよび／またはスピーカに対して出力する。ディスプレイの簡単なものは、発光ダイオード等の発光素子である。他のものは、画面上に文字を表示するものでも良い。発光素子がスタートのタイミング毎に点灯したり、スタートを示す文字が表示される。視聴者は、このディスプレイを見て、キーボードまたはボタンを操作して再生スタート信号をスタート指示部３５から発生させる。再生スタート信号によってスイッチ部２５がオンし、ＲＡＭ２４に蓄積されているＡＶデータの読み出しがスタートされる。スピーカは、再生スタートのタイミングを示す音声情報、ブザー等を再生するものである。音声情報、ブザー等を聞いて視聴者がキーボード、ボタンを押すことによって再生がスタートする。
【００２９】
なお、データ分析部３３、スタート判断部３４およびスタート指示部３５の一部または全体を人為的操作を介さずにハードウェア処理またはソフトウェア処理で自動的に行うようにしても良い。
【００３０】
次に、図５を参照してこの発明によるデータ再生装置の一実施形態について説明する。参照符号４１がＡＶ情報が記録されている光ディスクである。光ディスク４１は、ターンテーブルに載せられてスピンドルモータ４２によって回転される。スピンドルモータ４２は、サーボ部４３の制御によって一定線速度（ＣＬＶ）あるいは一定角速度（ＣＡＶ）で回転駆動をされる。
【００３１】
サーボ部４３は、フォーカスエラー信号とトラッキングエラー信号、およびコントローラ（図示しない）からの動作指令に基づき、フォーカス、トラッキング、スレッド、スピンドルの各種サーボドライブ信号を生成し、スピンドルモータ４２および光ピックアップ４４にこれらの信号を出力している。図示しないが、コントローラは、再生装置の全体を制御するためのもので、ディスプレイ、操作スイッチ等がコントローラに対して接続されている。光ピックアップ４４は、光ディスク４１の信号面に半導体レーザの光ビームを集光しつつ、光ディスク４１上に同心円状あるいはスパイラル状に形成されたトラックをトレースする。光ピックアップ４４全体がスレッド機構により移動される。
【００３２】
光ピックアップ４４の出力は、ＲＦアンプ４５を介して同期検出器４６に供給され、同期検出器４６の出力がアドレス検出回路４７に供給される。ＲＦアンプ４５からのサーボ信号、同期検出回路４６からの検出信号およびアドレス検出回路４７からのアドレス信号がサーボ部４３に供給される。
【００３３】
アドレス検出回路４７の出力信号が例えばＥＦＭの復調器４８に供給される。復調器４８の出力がエラー訂正回路４９に供給される。エラー訂正回路４９は、エラーを訂正し、必要に応じて訂正できないエラーを補間する。エラー訂正回路４９からのＡＶデータがＲＡＭ５０に蓄積される。ＲＡＭ５０から再生スタートのタイミングが制御されたＡＶ信号が出力端子５１に取り出される。出力ＡＶ信号がアンプ、スピーカ、ディスプレイ等の再生機器に対して供給され、ＡＶ信号が再生される。
【００３４】
参照符号６１が光ディスク４１から再生されたＡＶ情報を視聴する視聴者の呼吸を計測するためのセンサである。センサ６１から有線または無線で検出信号がローパスフィルタ６２に供給され、ローパスフィルタ６２の出力信号がピーク検出回路６３に供給される。ピーク検出回路６３によって正負のピーク値のタイミングが検出される。検出された信号が変化点検出回路６４に供給される。
【００３５】
変化点検出回路６４は、視聴者の呼吸の吸期から呼期への変化点を検出し、この変化点のタイミングを有する再生スタート信号を生成するものである。再生スタート信号がＲＡＭ５０に供給され、ＲＡＭ５０からのＡＶ信号の読み出しのタイミングが再生スタート信号と同期したものに制御される。なお、再生スタートの制御は、曲のスタートタイミングのみならず、各楽章の再生スタートタイミング、曲の中での重要度が高い部分（ハイライト部分）のスタートタイミング等を生体情報に同期させるものでも良い。
【００３６】
図６は、上述した再生制御装置の一実施形態のより詳細な構成例を示すものである。アドレス検出回路４７（図５参照）から入力端子４７ａを介して光ディスク４１の再生信号が供給される。復調回路４８およびエラー訂正回路４９によって再生ＡＶ信号が得られ、再生ＡＶ信号がＲＡＭ５０に書き込まれる。また、再生ＡＶ信号が無音区間検出回路５２に供給される。
【００３７】
無音区間検出回路５２は、オーディオの場合では、スタートタイミング以降の有音区間までの無音区間、曲間の無音区間、楽章間の無音区間を検出するものである。例えば１秒以上の無音区間が検出される。ビデオの場合では、音ではなく画像の無い区間が検出される。無音区間検出回路５２は、スタートタイミングから有音区間のスタートタイミングまでの区間を検出し、スタートタイミングを検出した無音区間の長さだけ遅らせ、無音区間の存在によって生体信号との同期がずれることを防止するために設けられている。
【００３８】
ＲＡＭ５０の読み出し信号がスイッチ５３を介して出力端子５１に取り出される。スイッチ５３は、再生スタート時にオフからオンに変化するものである。スイッチ５３は、ＡＶ信号スタート／ストップ部５４からのスイッチ制御信号によってそのオン／オフが制御される。
【００３９】
入力端子６２ａには、ローパスフィルタ６２によってノイズが除去された呼吸信号が入力される。ピーク検出回路６３によって正負のピーク値並びにピーク値の最大値および最小値が検出される。また、入力端子６２ａからの呼吸信号がゼロクロス検出回路６５に供給され、ゼロクロスが検出される。
【００４０】
ピーク検出回路６３およびゼロクロス検出回路６５の検出出力がスタートトリガー生成回路６６に供給される。スタートトリガー生成回路６６が再生スタートトリガーを発生し、スタートリガーがＡＶ信号スタート／ストップ部５４に供給される。ＡＶ信号スタート／ストップ部５４は、スタートトリガーを受け取ると、無音区間検出回路５２から入力される無音から有音に変わるタイミングで、スイッチ５３をオンとするスタート信号を出力する。ビデオの場合では、スタートトリガーを受け取ると、画像の無い区間から有る区間に変わるタイミングで、スイッチ５３をオンとするスタート信号を出力する。
【００４１】
上述したように、スタート信号は、呼吸が吸期から呼期に変化するタイミング、すなわち、吸期のピークのタイミング（図１Ｂの波形では、負のピーク値）で発生するようにしている。しかしながら、視聴者の個人差、視聴者のその時の体調等によっては、このタイミングと異なるタイミングで再生をスタートした方がより好ましい場合がある。
【００４２】
例えば呼期のピークのタイミング、ゼロクロスのタイミングがより好ましいと感じる場合もありうる。この点を考慮して、図６の構成例では、ゼロクロス検出回路６５を設け、また、再生システムの全体を制御するコントローラ６７によって、スタートトリガーの生成の態様を切り換えることが可能としている。さらに、コントローラ６７は、視聴者の操作等で発生した再生ストップの指示をスタート／ストップ部５４に対して出力し、ＡＶ信号の再生がストップされる。
【００４３】
図７は、この発明を記録指示装置、送信指示装置、記録装置、送信装置に適用した場合の構成例を説明するものである。記録および送信の間では、構成が類似しているので、記録または送信の何れかを意味する表記として、記録／送信の表記を使用する。さらに、図７の構成では、記録／送信側で音楽が演奏されており、演奏信号を記録／送信する場合を考慮している。
【００４４】
参照符号７１で示す入力端子に対して記録／送信／演奏ＡＶ信号が入力され、ＲＡＭ７２に蓄積される。ＲＡＭ７２の読み出し出力がスイッチ７３を介してＡＶ信号として出力されると共に、エラー訂正用のエンコーダ７４に供給される。この出力ＡＶ信号は、図示しないアンプを介してスピーカに供給され、演奏会場に直接流されるＡＶ信号である。エンコーダ７４の出力信号が変調回路７５に供給され、変調回路７５で変調された信号が記録／送信回路７６に供給される。記録／送信回路７６からの記録信号は、光ディスク等のメディア７７に記録され、送信信号は、ネットワーク７８に対して送出される。
【００４５】
参照符号８１で示す入力端子には、スイッチ７３を介して出力されるＡＶ信号を視聴する視聴者の生体信号例えば呼吸信号が入力される。生体信号がデータ収集部８２に供給される。データ分析部８３の分析結果（呼吸深さ出力、呼吸タイミング出力、呼吸間隔出力等）のデータがスタート判断部８４に入力される。スタート判断部８４は、記録／送信／演奏をスタートするタイミングを決定し、スタート指示部８５を制御する信号を出力する。
【００４６】
スタート指示部８５は、スタート指示信号をディスプレイおよび／またはスピーカに対して出力する。ディスプレイの簡単なものは、発光ダイオード等の発光素子である。他のものは、画面上に文字を表示するものでも良い。発光素子がスタートのタイミング毎に点灯したり、スタートを示す文字が表示される。演奏者または記録／送信を管理する者は、このディスプレイを見て、キーボードまたはボタンを操作して記録／送信／演奏スタート信号をスタート指示部８５から発生させる。記録／送信／演奏スタート信号によってスイッチ部７３がオンし、ＲＡＭ７２に蓄積されているＡＶデータの読み出しがスタートされる。スピーカは、記録／送信／演奏スタートのタイミングを示す音声情報、ブザー等を再生するものである。ディスプレイを見て、または音声情報、ブザー等を聞いて演奏者／記録／送信を管理する者がキーボード、ボタンを押すことによって記録／送信／演奏がスタートする。
【００４７】
なお、データ分析部８３、スタート判断部８４およびスタート指示部８５の一部または全体を人為的操作を介さずにハードウェア処理またはソフトウェア処理で自動的に行うようにしても良い。
【００４８】
さらに、図７の構成において、視聴者が送信／記録／演奏場所側に居るものとしているが、受信側の場所に居り、視聴者の生体信号または生体信号に基づいて生成されたスタート信号を受信側から送信側に送信し、送信側がこのスタート信号に同期してＡＶ信号の送信をスタートするようにしても良い。
【００４９】
この発明は、上述したこの発明の一実施形態に限定されるものでは無く、この発明の要旨を逸脱しない範囲内で様々な変形や応用が可能である。例えば複数の視聴者の各人の生体信号との関係でどのタイミングでスタートすれば良いかを何度かの視聴の結果に基づいて決定し、その視聴者の個人のプロファイル情報として登録するようにしても良い。また、複数の視聴者のプロファイル情報を不揮発性メモリに記憶しておき、視聴者の切り換えを可能としても良い。
【００５０】
【発明の効果】
以上の説明から明らかなように、この発明によれば、ＡＶ情報の曲、楽章等のスタートのタイミングを視聴者の生体情報に合わせて制御することによって、実際の演奏や、演技の際の息使いや興奮度などにマッチした状況を再現することができ、従来のＡＶシステムに比較してはるかに臨場感のあるＡＶシステムを構築することができる。
【図面の簡単な説明】
【図１】この発明における再生スタートタイミングを説明するための略線図である。
【図２】生体信号としての呼吸信号を検出するための構成を示すブロック図である。
【図３】生体信号としての心拍信号を検出するための構成を示すブロック図である。
【図４】この発明による再生指示装置の一実施形態の構成を示すブロック図である。
【図５】この発明による再生装置の一実施形態の構成を示すブロック図である。
【図６】再生装置の一実施形態のより詳細な構成を示すブロック図である。
【図７】この発明による記録／送信および記録／送信指示装置の一実施形態の構成を示すブロック図である。
【符号の説明】
２１・・・ＡＶ信号の入力端子、２４・・・ＲＡＭ、２５・・・スイッチ、３１・・・生体信号の入力端子、３５・・・スタート指示部、５２・・・無音区間検出回路、５４・・・ＡＶ信号スタート／ストップ部、６５・・・ゼロクロス検出回路、６６・・・スタートトリガー生成回路、６７・・・コントローラ
【図１】
2004228778.tif 000003
【図２】
2004228778.tif 000004
【図３】
2004228778.tif 000005
【図４】
2004228778.tif 000006
【図５】
2004228778.tif 000007
【図６】
2004228778.tif 000008
【図７】
2004228778.tif 000009